(57)【要約】【課題】挿入した針金や棒等をサムターンに引っ掛けて、サムターンを回転することによる不正解錠を阻止できる防犯サムターンを提供し、防犯性を向上させる。【解決手段】屋外側からのシリンダー錠３の施解錠操作によって錠箱Ａ内の施錠ボルトが進退する扉１に取り付けられる防犯サムターンユニットＣであって、扉１の屋内側に取付けられるサムターン箱１１と、キー状の挿入部１９ｂを有する操作部材１９と、サムターン箱１１に回動自在に内設され先端２１ａを錠箱Ａに連結して操作力を入力するとともに、基端２１ｂに操作部材１９の挿入部１９ｂを相対回転不能に挿入させる係合穴２３を有するサムターンコア２１と、サムターン箱１１の表面に表出しサムターンコア２１と同軸に配設されて空転自在となり、操作部材１９の挿入部１９ｂが貫通するキー孔３１を有するキーガイド２７とを設けた。【選択図】      図４
2005002562.tif 000002
【特許請求の範囲】
【請求項１】
屋外側からのシリンダー錠の施解錠操作によって錠箱内の施錠ボルトが進退する扉に取り付けられる防犯サムターンユニットであって、
前記扉の屋内側に取付けられるサムターン箱と、
キー状の挿入部を有する操作部材と、
前記サムターン箱に回動自在に内設され先端を前記錠箱に連結して操作力を入力するとともに、基端に前記操作部材の挿入部を相対回転不能に挿入させる係合穴を有するサムターンコアと、
前記サムターン箱の表面に表出し前記サムターンコアと同軸に配設されて空転自在となり、前記操作部材の挿入部が貫通するキー孔を有するキーガイドと、
を具備したことを特徴とする防犯サムターンユニット。
【請求項２】
請求項１記載の防犯サムターンユニットであって、
前記サムターン箱に内設され前記サムターンコアの回転に従動して該サムターンコアの回転状態を前記サムターン箱に穿設した開口窓から外部へ示す標示手段と、
を具備したことを特徴とする防犯サムターンユニット。
【請求項３】
請求項１又は２記載の防犯サムターンユニットであって、
前記キーガイドの外周から張出す多角形状の鍔板と、
前記キーガイドの回転中心軸に直交方向で移動自在となり付勢手段からの付勢力を受けて該鍔板の外周面に当接する当接子と、
を具備したことを特徴とする防犯サムターンユニット。
【請求項４】
請求項１又は２又は３記載の防犯サムターンユニットであって、
前記操作部材が、屋外側の前記シリンダー錠を施解錠するための合鍵であることを特徴とする防犯サムターンユニット。
【発明の詳細な説明】
【０００１】
【発明の属する技術分野】
本発明は、扉の施解錠に用いられるサムターンを無効可能にして防犯性の向上を図る防犯サムターンユニットに関する。
【０００２】
【従来の技術】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
錠箱には、ロック部材である例えばデッドボルトが開閉体の端面（木口）から進退自在に設けられている。
【０００３】
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内側からは、サムターンの摘みが回転操作されるのみで、デッドボルトが進退され、開閉体の施解錠が簡便に行えるようになっている。
【０００４】
【特許文献１】
特許第３２８４８８４号公報  （図１）
【０００５】
【発明が解決しようとする課題】
近年、マンションや住宅の玄関扉等の開閉体、或いはこれら玄関扉等の開閉体近傍における開口枠体の周囲である壁部分に、高級感や優美性を高める目的で、ガラス板を嵌め込んだ小窓が多用されるようになっている。
ところが、このような小窓を有する開閉体や、近傍に小窓が設けられた開閉体では、小窓のガラス板が割られると、外部から手を差し入れて開閉体のサムターンを不正に操作したり、先端を鉤状に曲げた針金や棒等を挿入して、サムターンが不正に操作されてしまう虞れがある。
【０００６】
一般的に、扉に多用される回転式のサムターンは、上記特許文献１の図１にあるように屋内側に露出する摘みが回動中心から半径方向外側に翼部を張り出させた形状であるため、この翼板部に、針金等を曲げた鉤状先端を掛止し、回転モーメントを与えることにより不正な解錠操作が可能となる場合があった。
また、サムターンは、上記した小窓の無い開閉体においても、郵便ポストの投入開口など、針金を挿入する穴や隙間が開閉体自体或いは開閉体近傍の壁部にあれば、同様に不正解錠される虞があった。
【０００７】
本発明は上記状況に鑑みてなされたもので、挿入した針金や棒等をサムターンに引っ掛けて、サムターンを回転することによる不正解錠を阻止できる防犯サムターンユニットを提供し、防犯性の向上を図ることを目的とする。
【０００８】
【課題を解決するための手段】
次に、上記の課題を解決するための手段を、実施の形態に対応する図面を参照して説明する。
この発明の請求項１記載の防犯サムターンユニットＣは、屋外側からのシリンダー錠３の施解錠操作によって錠箱Ａ内の施錠ボルトが進退する扉１に取り付けられる防犯サムターンユニットＣであって、
前記扉１の屋内側に取付けられるサムターン箱１１と、
キー状の挿入部１９ａを有する操作部材１９と、
前記サムターン箱１１に回動自在に内設され先端２１ａを前記錠箱Ａに連結して操作力を入力するとともに、基端２１ｂに前記操作部材１９の挿入部１９ｂを相対回転不能に挿入させる係合穴２３を有するサムターンコア２１と、
前記サムターン箱１１の表面に表出し前記サムターンコア２１と同軸に配設されて空転自在となり、前記操作部材１９の挿入部１９ｂが貫通するキー孔３１を有するキーガイド２７と、
を具備したことを特徴とする。
【０００９】
この防犯サムターンユニットＣでは、屋内から回転操作力を錠箱Ａへ入力するには、操作部材１９がサムターンコア２１に係合するまで挿入され、サムターンコア２１が回転されて、錠箱Ａへ回転力が入力されなければならない。従って、外出時や就寝時等、操作部材１９が抜かれている状態では、キーガイド２７が空転するのみとなって、針金や棒等を用いた回転操作が阻止される。
【００１０】
請求項２記載の防犯サムターンユニットＣは、請求項１記載の防犯サムターンユニットＣであって、
前記サムターン箱１１に内設され前記サムターンコア２１の回転に従動して該サムターンコア２１の回転状態を前記サムターン箱１１に穿設した開口窓１５から外部へ示す標示手段４１と、
を具備したことを特徴とする。
【００１１】
この防犯サムターンユニットＣでは、開口窓１５に常に錠箱Ａの施解錠状態が標示されることになり、操作部材１９が抜かれることによって認識できなくなった施錠ボルトの施解錠状態が容易に確認可能となる。これにより、施錠状態からの解錠、或いは解錠状態からの施錠が容易となり、誤操作が生じなくなり、操作性が高められる。
【００１２】
請求項３記載の防犯サムターンユニットＣは、請求項１又は２記載の防犯サムターンユニットＣであって、
前記キーガイド２７の外周から張出す多角形状の鍔板２７ｂと、
前記キーガイド２７の回転中心軸３５に直交方向で移動自在となり付勢手段３７からの付勢力を受けて該鍔板２７ｂの外周面に当接する当接子３３と、
を具備したことを特徴とする。
【００１３】
この防犯サムターンユニットＣでは、キーガイド２７の回転に伴って当接子３３が鍔板２７ｂの角部を通過する毎にクリック感が生じ、サムターンコア２１に対する操作部材１９の係合可能角度が把握し易くなる。
【００１４】
請求項４記載の防犯サムターンユニットＣは、請求項１又は２又は３記載の防犯サムターンユニットＣであって、
前記操作部材１９が、屋外側の前記シリンダー錠３を施解錠するための合鍵であることを特徴とする。
【００１５】
この防犯サムターンユニットＣでは、屋外、屋内での施解錠操作が、１つの合鍵で行え、防犯性が確保されながら、操作性が高められる。
【００１６】
【発明の実施の形態】
以下、本発明に係る防犯サムターンユニットの好適な実施の形態を図面を参照して詳細に説明する。
図１は本発明に係る防犯サムターンユニットの外観斜視図、図２は図１の縦断面図、図３は図１に示した防犯サムターンユニットの要部分解斜視図、図４は操作部材が挿入された防犯サムターンユニットの縦断面図である。
【００１７】
図２に示す扉１の内部には、錠箱Ａが内蔵される。扉１の屋外側の面には、錠箱Ａに対して屋外側からの施解錠操作を可能にするシリンダーユニットＢが取り付けれる。扉１の屋内側の面には、防犯サムターンユニットＣが取り付けられる。
【００１８】
錠箱Ａは、例えば扉１の木口側端部に内蔵され、錠箱Ａに固定された図示しないフロント板が扉１の木口（端面）に露出して取り付けられる。この錠箱Ａ内には、図示しない施錠ボルトが内蔵される。この施錠ボルトは、後述のシリンダー錠及びサムターン（操作部材）の操作によって、錠箱Ａに対しスライドし、扉１のフロント板から進退されるようになっている。つまり、扉枠に対しての施解錠を可能とする。ここでは、その具体的な機構の説明は省略する。
【００１９】
シリンダーユニットＢには、シリンダー錠３が内蔵される。シリンダー錠３は、鍵穴５をユニットケース７に表出している。シリンダー錠３は、鍵穴５に図示しない合鍵が挿入され、回転操作されることで、駆動軸９を介して錠箱Ａに回転力を入力し、施錠ボルトを進退可能としている。
【００２０】
防犯サムターンユニットＣは、扉１の屋内側に取付けられるサムターン箱１１を有している。サムターン箱１１は、例えば底面の開口した図１に示す小判型の箱体で形成され、正面には後述のキーガイドを表出させるキーガイド穴１３と、後述の標示手段を表出させる開口窓１５とを有している。なお、１７，１７は、サムターン箱１１を扉１に固定するためのビスである。
【００２１】
防犯サムターンユニットＣには、サムターン摘みとして働く操作部材１９が挿入・抜脱自在に備えられる。操作部材１９は、摘み部１９ａと、キー状の挿入部１９ｂとからなる。防犯サムターンユニットＣでは、屋内における施解錠の操作において、操作部材１９を使用することとなり、これにより屋内面には従来のサムターン摘みが突出せず、扉１や扉周辺の小窓などから針金を挿入されたり、手を差し入れるなどして行われる不正な行為による解錠操作が無効となり、防犯性が向上する。
【００２２】
操作部材１９は、専用のキーとすることができる。本実施の形態では、操作部材１９が、屋外側のシリンダー錠３を施解錠するための合鍵と共用となっている。このように、シリンダー錠３の合鍵と、操作部材１９とを同一とすることにより、屋外、屋内での施解錠操作が、１つの合鍵で行えるようになり、防犯性が確保されながら、操作性が高められる。なお、操作部材１９を屋外側のシリンダー錠３の合鍵と異なるものとすれば、それぞれを保管・管理することで、防犯性を向上させることができる。
【００２３】
サムターン箱１１には、サムターンコア２１が回動自在に内設される。サムターンコア２１は、先端２１ａを錠箱Ａに連結して、操作力を入力するとともに、基端２１ｂに操作部材１９の挿入部１９ｂを相対回転不能に挿入させる係合穴２３を有する。ここで、係合穴２３は、挿入部１９ｂが水平又は垂直の向きの両方で挿入が可能となるように、例えば十字穴で形成することができる。このような十字穴とすることで、後述のキーガイドと共働させて常に係合穴２３への挿入を可能にさせることができる。
【００２４】
図３に示すように、サムターンコア２１の外周には、円周方向の所定長に歯部２５が形成される。歯部２５は、中心角約１８０度に対応する円周長に形成され、所謂セグメントギヤを構成している。この歯部２５は、後述の標示手段と噛合される。
【００２５】
サムターン箱１１には、キーガイド２７がサムターンコア２１と同軸に且つ空転自在に内設されている。キーガイド２７は、円柱部２７ａと、その一端に連設される多角形状の鍔板２７ｂとからなる。鍔板２７ｂは、キーガイド２７の外周から張出して設けられ、キーガイド２７の抜脱防止部材としても働く。本実施の形態においては、鍔板２７ｂは、四隅を曲面とした略四角形状で形成される。
【００２６】
なお。鍔板２７ｂは、後述の当接子と良好な摺接性を確保するため、各辺部を中央がやや凹んだ凹曲面で形成することが好ましい。
【００２７】
キーガイド２７は、円柱部２７ａを回動自在にキーガイド穴１３に嵌入させている。すなわち、円柱部２７ａの端面がサムターン箱１１の表面に表出する。この表出端面には、操作部材１９の挿入部１９ｂが貫通するキー孔３１が穿設されている。本実施の形態において、キー孔３１は、挿入部１９ｂの断面形状と略同一となっている。また、好ましくは、この表出する端面は、すり鉢状に形成される。
【００２８】
サムターン箱１１の内部には、キーガイド２７に当接する当接子３３が設けられている。当接子３３は、キーガイド２７の回転中心軸３５に直交方向で移動自在となり、付勢手段であるクリックバネ３７からの付勢力を受けて、鍔板２７ｂの外周面に当接する。
【００２９】
キーガイド２７の回転に伴って当接子３３が鍔板２７ｂの角部を通過する回転角９０度毎にクリック感が生じる。また、キーガイド２７は、当接子３３に辺部が押圧されることで、回転位置が９０度毎に定まるようになっている。これにより、サムターンコア２１に対する操作部材１９の係合可能角度が把握し易くなる。なお、本実施の形態では、係合穴２３を十字形状としているので、キーガイド２７のキー孔３１へ挿入した挿入部１９ｂは、常にサムターンコア２１の係合穴２３へ挿入させることになる。
【００３０】
また、サムターン箱１１の内部には、標示手段である標示ギヤ４１が回転自在に設けられている。標示ギヤ４１は、円柱部４１ａと、それに連設したフランジ部４１ｂとからなる。フランジ部４１ｂの円周方向一部分には、歯部４３が形成される。標示ギヤ４１は、この歯部４３を、サムターンコア２１の歯部２５に噛合することで、サムターンコア２１の回転に従動する。
【００３１】
標示ギヤ４１の端面４１ｃには視認用目印４５が設けられている。視認用目印４５は、標示ギヤ４１の所定の回転角度毎に、開口窓１５に異なる標示を行うようにした色分け領域により構成されている。本実施の形態では、視認用目印４５が、赤色の領域４５ａを挟んで青色の領域４５ｂ，４５ｂが対称に設けられ、９０°の回転角度で各領域４５ａ，４５ｂが標示されるようになる。これにより、サムターンコア２１と連動する標示ギヤ４１は、サムターンコア２１の回転状態をサムターン箱１１に穿設した開口窓１５から外部へ示せるようになっている。
【００３２】
従って、開口窓１５に常に錠箱Ａの施解錠状態が標示されることになり、操作部材１９が抜かれることによって認識できなくなった施錠ボルトの施解錠状態が容易に確認可能となる。これにより、施錠状態からの解錠、或いは解錠状態からの施錠が容易となり、誤操作が生じなくなり、操作性が高められる。
【００３３】
また、本実施の形態の防犯サムターンユニットＣは、左右勝手のいずれにも使用可能となっている。すなわち、上述した標示ギヤ４１の視認用目印４５を、赤色の領域４５ａを挟んで青色の領域４５ｂ，４５ｂを対称に設けることで、右回しの開動操作、及び、左回しの開動操作に対応可能としている。なお、本実施の形態において、扉１が屋内側に開くことを「内開き」、扉１が屋外側に開くことを「外開き」と言い、扉１を支える蝶番の軸が扉１の開く側から見て左側に見えることを「左勝手」、扉１を支える蝶番の軸が扉１の開く側から見て右側に見えることを「右勝手」と言う。
【００３４】
次に、このように構成された防犯サムターンユニットＣの作用を説明する。
外出時、或いは就寝時には、サムターン箱１１から操作部材１９が抜取られた状態となる（図２の状態）。操作部材１９が抜かれると、キーガイド２７が空転状態となり、回転操作力は錠箱Ａへ伝達されなくなる。
【００３５】
一方、図４に示すように、操作部材１９がキーガイド２７のキー孔３１に挿入され、この状態で操作部材１９が回転操作されると、サムターンコア２１が回転され、操作部材１９による回転操作力が錠箱Ａに入力され、錠箱Ａ内の施解錠機構によって施錠ボルトが進退操作される。
【００３６】
なお、サムターンコア２１が回転されるには、挿入部１９ｂが係合穴２３に嵌合するまで挿入される必要がある。仮にキー孔３１のみに挿入部１９ｂが挿入された状態では、キーガイド２７が空転するのみでサムターンコア２１が回転されることはない。
【００３７】
サムターンコア２１が回転されると、これと同時に標示ギヤ４１が回転され、サムターンコア２１の回転状態、すなわち、施錠状態或いは解錠状態が、開口窓１５を介して容易に把握されることになる。
【００３８】
従って、この防犯サムターンユニットＣによれば、屋内から回転操作力を錠箱Ａへ入力するには、操作部材１９がサムターンコア２１に係合するまで挿入され、サムターンコア２１を回転させて、錠箱Ａへ回転力を入力しなければならない。従って、外出時や就寝時等、操作部材１９が抜かれている状態では、キーガイド２７が空転するのみとなって、針金や棒等を用いた不正な回転操作を阻止することができる。
【００３９】
【発明の効果】
以上説明したように、本発明に係る請求項１記載の防犯サムターンユニットによれば、扉の屋内側にサムターン箱を取付け、このサムターン箱に、係合穴を有し、錠箱と連結するサムターンコアを回転自在に内設し、さらにサムターン箱には、サムターンコアと同軸に配設されて空転自在となり、操作部材の挿入部が貫通するキーガイドを設けたので、屋内から回転操作力を錠箱へ入力するには、操作部材をサムターンコアに係合するまで挿入し、サムターンコアを回転させて、錠箱へ回転力を入力しなければならない。従って、外出時や就寝時等、操作部材が抜かれている状態では、キーガイドが空転するのみとなって、針金や棒等を用いた回転操作を阻止することができる。
【００４０】
請求項２記載の防犯サムターンユニットによれば、サムターンコアの回転に従動してサムターンコアの回転状態をサムターン箱の開口窓から外部へ示す標示手段をサムターン箱に内設したので、開口窓に常に錠箱の施解錠状態が標示されることになり、操作部材が抜かれることによって認識できなくなった施錠ボルトの施解錠状態を容易に確認することができるようになる。これにより、施錠状態からの解錠、或いは解錠状態からの施錠が容易となり、誤操作をなくして、操作性を向上させることができる。
【００４１】
請求項３記載の防犯サムターンユニットによれば、キーガイドの外周に多角形状の鍔板を設け、この鍔板の外周面に当接する当接子をサムターン箱に設けたので、キーガイドの回転に伴って当接子が鍔板の角部を通過する毎にクリック感が生じ、サムターンコアに対する操作部材の係合可能角度を把握し易くすることができる。
【００４２】
請求項４記載の防犯サムターンユニットによれば、操作部材が、屋外側のシリンダー錠を施解錠するための合鍵であるので、屋外、屋内での施解錠操作を、１つの合鍵で行うことができ、防犯性を確保しつつ、操作性を向上させることができる。
【図面の簡単な説明】
【図１】本発明に係る防犯サムターンユニットの外観斜視図である。
【図２】図１の縦断面図である。
【図３】図１に示した防犯サムターンユニットの要部分解斜視図である。
【図４】操作部材が挿入された防犯サムターンユニットの縦断面図である。
【符号の説明】
１…扉
３…シリンダー錠
１１…サムターン箱
１５…開口窓
１９…操作部材
１９ｂ…キー状の挿入部
２１…サムターンコア
２１ａ…先端
２１ｂ…基端
２３…係合穴
２７…キーガイド
２７ｂ…鍔板
３１…キー孔
３３…当接子
３５…キーガイドの回転中心軸
３７…付勢手段（クリックバネ）
４１…標示手段（標示ギヤ）
Ａ…錠箱
Ｃ…防犯サムターンユニット
【図１】
2005002562.tif 000003
【図２】
2005002562.tif 000004
【図３】
2005002562.tif 000005
【図４】
2005002562.tif 000006